(57)【要約】      （修正有）【課題】付け爪の装飾や描画作業を円滑に進めることができ、且つ部品点数も少なく、収納にも有利な付け爪保持装置を提供する。【解決手段】付け爪保持装置１０は、平坦な表面部を有した台座部１３上に回転可能に取り付けられた複数の基端部１５が設けられ、付け爪を一端に保持すると共に他端が各基端部に可倒するように軸支される付け爪保持部２１を有する。基端部１５に対して付け爪保持部２１が軸支されながら倒れることができるため、他の付け爪から作業中に付け爪を隔離したり、小さく折りたたむように収納することもできる。【選択図】図１
0003145899.tif 000002
【実用新案登録請求の範囲】
【請求項１】
平坦な表面部を有した台座部上に回転可能に取り付けられた複数の基端部が設けられ、付け爪を一端に保持すると共に他端が各基端部に可倒するように軸支される付け爪保持部を有することを特徴とする付け爪保持装置。
【請求項２】
前記付け爪保持部は、基端部から延長された棒状部の先端側に付け爪を裏面側から保持する付け爪載置面を有することを特徴とする請求項１記載の付け爪保持装置。
【請求項３】
前記付け爪載置面は前記棒状部の延長方向に対して斜めに配設されていることを特徴とする請求項２記載の付け爪保持装置。
【請求項４】
前記台座上の５つの前記基端部が設けられ、それぞれの前記基端部に前記付け爪保持部が軸支されることを特徴とする請求項１記載の付け爪保持装置。
【考案の詳細な説明】
【技術分野】
【０００１】
本考案は、各種のネイルアートなどが施された付け爪を保持するための付け爪保持装置に関する。
【背景技術】
【０００２】
種々の絵や装飾品などを施したネイルアートの如き付け爪を手や足のつめに装着することが所謂おしゃれの１つとして行われており、装飾性の高い付け爪を作成する際には、小さな飾りなどを接着させたり、細かい絵を描き込むための作業がネイルチップと呼ばれる合成樹脂製の爪の形をした小片に対して行われる。このようなネイルアートの作成の際には、細かい作業をする間にネイルチップを保持する必要があり、また、作成した付け爪を展示したり、繰り返して使用するために付け爪を並べて保存しておくこともあり、従来より、ネイルアートを保持するためのネイルアート台の如き装置が知られている（例えば、特許文献１、２参照。）。
【０００３】
【特許文献１】特開２００６−５５５０８号公報
【特許文献２】特許第３４７０２３０号公報
【考案の開示】
【考案が解決しようとする課題】
【０００４】
ところが、特許文献１に記載のネイル台では、付け爪の装飾作業中に付け爪の角度を変えることはできない構造になっており、付け爪はその表面が水平に保持されたまま作業を進めることになり、例えば付け爪の端部に対する処理を進めることが必ずしも容易とはならならず、さらには１つの付け爪に対する作業が終わった後に、隣接する付け爪に対してスプレーなどの作業をする場合には作業済みの付け爪が汚れてしまうような問題も生ずる。また、特許文献２に記載のネイル台では、付け爪の保持台自体が首振り可能とされるが、部品点数も多くなることから製造コストが高くなり、使わない場合の収納についても基台から垂直な方向での高さがあるために、かさばるような問題も生ずることになる。
【０００５】
そこで、本考案は上述の技術的な課題に鑑み、付け爪の装飾や描画作業を円滑に進めることができ、且つ部品点数も少なく、収納にも有利な付け爪保持装置の提供を目的とする。
【課題を解決するための手段】
【０００６】
上述の技術的な課題を解決するため、本考案の付け爪保持装置は、平坦な表面部を有した台座部上に回転可能に取り付けられた複数の基端部が設けられ、付け爪を一端に保持すると共に他端が各基端部に可倒するように軸支される付け爪保持部を有することを特徴とする。
【０００７】
本考案の好適な実施形態によれば、前記付け爪保持部は、基端部から延長された棒状部の先端側に付け爪を裏面側から保持する付け爪載置面を有していても良く、また、前記付け爪載置面は前記棒状部の延長方向に対して斜めに配設されていても良い。
【考案の効果】
【０００８】
本考案の付け爪保持装置によれば、台座部上に回転可能に取り付けられた複数の基端部に付け爪保持部が軸支されることから、作業に際して付け爪保持部自体を倒して作業性を向上させることができ、コンパクトに収納できる。また、付け爪保持部自体は一体成型した部品とすることができ、装置全体での部品点数を低減させてコスト増を防ぐこともできる。
【考案を実施するための最良の形態】
【０００９】
本考案の実施形態に係る付け爪保持装置について、図1乃至図４を参照しながら詳細に説明する。
【００１０】
本実施形態に係る付け爪保持装置１０は、各構成部材が射出成形などにより形成された樹脂製であり、図１に示すように、角部に角丸１２を有して構成され平板形状の基台部１１上に円盤状の台座部１３が設けられており、この円盤状の台座部１３の周囲には垂直方向に延長される凸条部１４が台座部１３の全周を所定の間隔だけ互いに離間して配されている。台座部１３は例えば平板形状の基台部１１に対して回転させることができ、台座部１３を回転させる場合には凸条部１４を指で基台部１１に対して押すことで、台座部１３が回転される。
【００１１】
この台座部１３には、その平坦な表面に図示しない５つの挿入穴が中心から同じ距離で且つ円端部に近い距離の位置で周方向に等間隔に設けられており、その挿入穴に基端部１５がそれぞれ設けられている。基端部１５は底面に台座部１３の挿入穴に挿入される図示しないボスを回転軸として有し、基端部１５は該ボスを中心に回転可能とされる。基端部１５は円板部上に一対の軸支片１６、１６を突設させた構造を有している。軸支片１６は、所定の厚みを有した略逆Ｕ字状の形状を有しており、やや上側の中心には通穴を有している。
【００１２】
これら一対の軸支片１６、１６は、付け爪を一端に保持するための付け爪保持部２１の基端側ブロック部２０を挟持するように設けられている。付け爪保持部２１は、一対の軸支片１６、１６の離間した間隔とほぼ同じ幅の基端側ブロック部２０から直棒状の棒状部１８が延長されており、先端側には作業対象である付け爪を載置するための載置面１９が形成されている。載置面１９は、付け爪の形状に沿ってやや縦長の湾曲面を有しており、載置面１９の先端側から底部側にかけて直棒状の棒状部１８の延長方向に対して斜めになるように形成され、棒状部１８を垂直にした場合に載置面１９の先端側が斜めに上を向くように形成されている。後述するように、この載置面１９に対してのりなどの接着剤やテープで付け爪を固定して作業が進められる。
【００１３】
付け爪保持部２１の基端側ブロック部２０には、一対の軸支片１６、１６の通穴に嵌合される一対の突設軸部１７が水平方向に突設されており、軸支片１６、１６の通穴が基端側ブロック部２０の突設軸部１７を軸支することから、付け爪保持部２１は、基端側ブロック部２０と共に一対の突設軸部１７、１７の軸周りに可倒できるように保持される。付け爪保持部２１は、使用者が手で操作することで、後述するように任意に角度を変えることができ、突設軸部１７の軸周りと軸支片１６、１６が挟持する基端側ブロック部２０との間の摩擦により、使用者が操作を辞めた場合には、その位置で付け爪保持部２１は止まるように保持される。
【００１４】
本実施形態の付け爪保持装置１０において、付け爪保持部２１は載置面１９から棒状部１８及び基端側ブロック部２０にかけては一体に成型した合成樹脂材を用いて構成され、付け爪保持部２１自体は組み立てなどの必要のない部材である。この付け爪保持部２１を基端部１５に取り付ける際には、合成樹脂製であることから所要の弾性を備えた一対の軸支片１６、１６の間をやや広げるようにして、付け爪保持部２１を基端側ブロック部２０が広げられた一対の軸支片１６、１６の間に挿入して、基端側ブロック部２０の突設軸部１７、１７を軸支片１６、１６の通穴に合わせて、一対の突設軸部１７、１７を一対の軸支片１６、１６の通穴に嵌合させる。この嵌合後に、一対の軸支片１６、１６を広げていた力を解除することで、付け爪保持部２１が可倒できるように基端部１５に取り付けられることになる。
【００１５】
図２は、本実施形態の付け爪保持装置１０において、５本の付け爪保持部２１の載置面にそれぞれネイルアートが施された付け爪３０を載置させた状態を示す斜視図である。図２に示すように、付け爪３０はそれぞれ垂直に直立した付け爪保持部２１にそれぞれ保持されている。付け爪３０は、例えばのりやテープなどの一時的に固定する接着手段を介して付け爪保持部２１の載置面に保持され、たとえばこの状態で作業が完了した各付け爪３０を乾燥させて塗膜や接着剤を固化させたり、ネイルアーティストが顧客に対してサンプルとして提示したり、ネイルサロンのサンプルの展示用としても利用可能である。実際の作業の際には、付け爪保持部２１を斜めにしたり、他の付け爪保持部２１を倒したりする。凸条部１４を指で基台部１１に対して押し、台座部１３を回転させながらネイルアート作成の作業を行うこともできる。
【００１６】
図３は本実施形態の付け爪保持装置１０において、５本の付け爪保持部２１のうちの３本を倒して、２本だけ垂直に立たせた状態を示す図である。このように一部の付け爪保持部２１を倒したりすることで、例えば作業に必要な付け爪３０だけをスプレーなどの対象や端部の削り作業の対象とすることもでき、作業対象でない付け爪３０を位置的に隔離するようにすることができる。また、作業対象となる付け爪３０に対しては、その付け爪３０を保持している付け爪保持部２１の角度を突設軸部１７、１７の軸回りに変えたり、基端部１５を台座部１１に対して回動させたりすることで、任意の位置に付け爪３０を支持することが可能となる。従って、種々の方向からの細かい作業を付け爪３０に対して施すことができ、その作業性が大幅に向上する。
【００１７】
図４は本実施形態の付け爪保持装置１０において、５本の付け爪保持部２１のうち全ての付け爪保持部２１を倒したところを示す斜視図である。全ての付け爪保持部２１を倒した場合には、上から見た場合にほぼ円盤状の台座部１３の範囲内に全ての付け爪保持部２１が収まることになり、その高さも一対の軸支片１６、１６と載置面１９の先端部が高い位置に過ぎず、全体的にコンパクトに収めることができる。従って、本実施形態の付け爪保持装置１０を収納する場合に、その占有する空間を小さくすることができ、量産した場合の輸送費などを抑えることも可能である。
【００１８】
なお、本実施形態の付け爪保持装置１０では、平板形状の基台部１１上に円盤状の台座部１３が設けられる構造で説明したが、台座部や基台部は例えば矩形状や他の多角形、或いは楕円形などであっても良い。また、付け爪保持部２１の形状も、斜めに載置面が形成されるものに限定されず、例えば付け爪をクリップにより保持するような他の形状の付け爪の載置部を有していても良い。付け爪保持部２１の本数は片手の指の数に合わせて５本としたが、これに限定されず、他の本数の付け爪保持部２１を有していても良い。また、軸支片１６、１６側に凸部を形成し、基端側ブロック部２０に凹部を形成し、これらの凹部と凸部の嵌め合わせにより、付け爪保持部２１を可倒式に保持するようにしても良い。
【図面の簡単な説明】
【００１９】
【図１】本考案の実施形態の付け爪保持装置において５本の付け爪保持部が全て直立した状態を示す斜視図である。
【図２】本考案の実施形態の付け爪保持装置において５本の付け爪保持部の載置面にそれぞれネイルアートが施された付け爪を載置させた状態を示す斜視図である.
【図３】本考案の実施形態の付け爪保持装置において５本の付け爪保持部のうちの３本を倒して、２本だけ垂直に立たせた状態を示す斜視図である。
【図４】本考案の実施形態の付け爪保持装置において、５本の付け爪保持部のうち全ての付け爪保持部を倒したところを示す斜視図である。
【符号の説明】
【００２０】
１０  付け爪保持装置
１１  基台部
１２  角丸
１３  台座部
１４  凸条部
１５  基端部
１６  軸支片
１７  突設軸部
１８  棒状部
１９  載置面
２０  基端側ブロック部
２１  付け爪保持部
３０  付け爪
【図１】
0003145899.tif 000003
【図２】
0003145899.tif 000004
【図３】
0003145899.tif 000005
【図４】
0003145899.tif 000006